(57)【要約】  本明細書において開示される４重ｖ字パネルアセンブリの実施形態は、複数のスタッド、トラック、及び頂部プレートを含む。４重ｖ字パネルアセンブリの様々な構成部材、接続、及び位置が標準化される。更に、４重ｖ字パネルアセンブリは、複数のｖ字ブレーススタッドを含み、これらのｖ字ブレーススタッドは、４重ｖ字パネルアセンブリが、風または地震活動に起因する大きな横力に耐えることができるように強度を高めることができる。【選択図】図５
2019525034.tif 000002
【特許請求の範囲】
【請求項１】
４重ｖ字パネルアセンブリであって、
少なくとも４つのｖ字パネルであって、前記４つのｖ字パネルの各ｖ字パネルが２つのｖ字ブレーススタッドを含む、前記少なくとも４つのｖ字パネルと、
少なくとも２つの中央トラック、上部トラック、及び下部トラックを含む複数の水平トラックと、
複数の頂部プレートと、を備え、前記ｖ字ブレーススタッド群の各ｖ字ブレーススタッドは、前記上部トラックと前記少なくとも２つの中央トラックの所定の中央トラックとを組み合わせたトラックに、前記頂部プレート群の１つ以上の頂部プレートを使用して接続される、または前記中央トラックと前記下部トラックとを組み合わせたトラックに、前記頂部プレート群の１つ以上の頂部プレートを使用して接続される、４重ｖ字パネルアセンブリ。
【請求項２】
各ｖ字パネルの前記２つのｖ字ブレーススタッドは、互いに対して２０度〜１６０度の所定の角度をなしている、請求項１に記載の４重ｖ字パネルアセンブリ。
【請求項３】
前記ｖ字ブレーススタッド群の各ｖ字ブレーススタッドは、前記ｖ字ブレーススタッド群のそれぞれの水平トラックに対して、実質的に１０度〜８０度の所定の角度をなしている、請求項１に記載の４重ｖ字パネルアセンブリ。
【請求項４】
トラスアセンブリを更に備え、前記トラスアセンブリは、上弦材及び下弦材と、複数の内部ブレースと、を含み、前記トラスアセンブリは前記上部トラックに配置される、請求項１に記載の４重ｖ字パネルアセンブリ。
【請求項５】
前記トラスアセンブリの前記下弦材、及び前記上部トラックは、２重水平ブレースを形成する、請求項４に記載の４重ｖ字パネルアセンブリ。
【請求項６】
前記複数の水平トラックの少なくとも２つの水平トラックは２重水平ブレースを形成する、請求項１に記載の４重ｖ字パネルアセンブリ。
【請求項７】
少なくとも２つの外部スタッド及び少なくとも１つの内部中心スタッドを含む複数の垂直スタッドを更に備え、前記複数の垂直スタッドは、前記複数の水平トラックに前記複数の頂部プレートを使用して接続される、請求項１に記載の４重ｖ字パネルアセンブリ。
【請求項８】
前記複数の垂直スタッドは更に、内部中心スタッド及び少なくとも２つの他の内部スタッドを含み、前記少なくとも２つの他の内部スタッドの各内部スタッドは、前記少なくとも２つの外部スタッドの所定の外部スタッドと前記内部中心スタッドとの間に配置され、前記少なくとも２つの中央トラックの貫通開口部を貫通して延び、前記上部トラック及び前記下部トラックに接続される、請求項７に記載の４重ｖ字パネルアセンブリ。
【請求項９】
前記ｖ字ブレーススタッド群の各ｖ字ブレーススタッドは、前記頂部プレート群の１つ以上の頂部プレートに、１つ以上の締結具を使用して回動自在に取り付けられる、請求項１に記載の４重ｖ字パネルアセンブリ。
【請求項１０】
床／天井トラスを支持する少なくとも１つのトラスハンガーを更に備える、請求項１に記載の４重ｖ字パネルアセンブリ。
【請求項１１】
４重ｖ字パネルアセンブリであって、
少なくとも４つのｖ字パネルであって、前記４つのｖ字パネルの各ｖ字パネルが２つのｖ字ブレーススタッドを含む、前記少なくとも４つのｖ字パネルと、
少なくとも２つの中央トラック、上部トラック、及び下部トラックを含む複数の水平トラックと、
少なくとも２つの外部スタッド及び少なくとも１つの内部中心スタッドを含む複数の垂直スタッドと、を備え、前記少なくとも１つの内部中心スタッドは、前記少なくとも２つの中央トラックの貫通開口部を貫通して延びており、前記上部トラック及び前記下部トラックに接続される、４重ｖ字パネルアセンブリ。
【請求項１２】
複数の頂部プレートを更に備え、前記ｖ字ブレーススタッド群の各ｖ字ブレーススタッドは、前記上部トラックと前記少なくとも２つの中央トラックの所定の中央トラックとを組み合わせたトラックに、前記頂部プレート群の１つ以上の頂部プレートを使用して接続される、または前記中央トラックと前記下部トラックとを組み合わせたトラックに、前記頂部プレート群の１つ以上の頂部プレートを使用して接続される、請求項１１に記載の４重ｖ字パネルアセンブリ。
【請求項１３】
前記複数の垂直スタッドは更に、少なくとも２つの他の内部スタッドを含み、前記少なくとも２つの他の内部スタッドは、前記少なくとも２つの中央トラックの貫通開口部を貫通して延びており、前記上部トラック及び前記下部トラックに接続される、請求項１１に記載の４重ｖ字パネルアセンブリ。
【請求項１４】
トラスアセンブリを更に備え、前記トラスアセンブリは、上弦材及び下弦材と、複数の内部ブレースと、を含み、前記トラスアセンブリは前記上部トラックに配置され、前記トラスアセンブリの前記上弦材及び前記下弦材は、前記少なくとも２つの外部スタッドに接続される、請求項１１に記載の４重ｖ字パネルアセンブリ。
【請求項１５】
前記トラスアセンブリの前記下弦材、及び前記上部トラックは、２重水平ブレースを形成する、請求項１４に記載の４重ｖ字パネルアセンブリ。
【請求項１６】
前記少なくとも４つのｖ字パネルの各ｖ字パネルの前記２つのｖ字ブレーススタッドは、互いに対して２０度〜１６０度の所定の角度をなしている、請求項１１に記載の４重ｖ字パネルアセンブリ。
【請求項１７】
前記ｖ字ブレーススタッド群の各ｖ字ブレーススタッドは、前記ｖ字ブレーススタッド群のそれぞれの水平トラックに対して、実質的に１０度〜８０度の所定の角度をなしている、請求項１１に記載の４重ｖ字パネルアセンブリ。
【請求項１８】
前記少なくとも２つの中央トラックは、２重水平ブレースを形成する、請求項１１に記載の４重ｖ字パネルアセンブリ。
【請求項１９】
前記ｖ字ブレーススタッド群の各ｖ字ブレーススタッドは、前記頂部プレート群の１つ以上の頂部プレートに、１つ以上の締結具を使用して回動自在に取り付けられる、請求項１１に記載の４重ｖ字パネルアセンブリ。
【請求項２０】
床／天井トラスを支持する少なくとも１つのトラスハンガーを更に備える、請求項１１に記載の４重ｖ字パネルアセンブリ。
【発明の詳細な説明】
【技術分野】
【０００１】
本出願は、２０１６年６月２９日出願の「ＱＵＡＤ  ｖ−ｐａｎｅｌ  Ａｓｓｅｍｂｌｙ（４重ｖ字パネルアセンブリ）」と題する米国仮特許出願第６２／３５６，３９０号の非仮特許出願であり、米国仮特許出願第６２／３５６，３９０号の利益を主張するものであり、この米国仮特許出願の内容全体が引用をもって本明細書に組み込み記載されているものとする。
【背景技術】
【０００２】
壁パネルは、住宅及び事業用建物の建築に使用されて壁構造と屋根ふき材の支持具を提供する。既存の壁パネル形態は、現地での作業及び組み立てが必要であり、これにより、建物の建設に遅れが生じてコストが増加することがある。更に、壁パネル形態は、地震活動、風、または他の力に耐える十分な強度を提供することができない可能性がある。
【発明の概要】
【発明が解決しようとする課題】
【０００３】
本要約は、以下の詳細な説明に更に記載される選択概念を簡易形式で紹介するために提供される。本要約は、クレームに記載された主題の重要な特徴、または本質的な特徴を特定することを意図したものではなく、クレームに記載された主題の範囲を限定するために使用されることを意図したものでもない。クレームに記載された主題の他の特徴、詳細、有用性、及び利点は、様々な実施形態について以下に更に具体的に記述される詳細な説明及び添付の図面に更に図示され、添付のクレームに定義される実施形態から明らかになる。
【課題を解決するための手段】
【０００４】
本出願は、４重ｖ字パネルアセンブリを含む標準化された壁パネルを開示する。本明細書において開示される４重ｖ字パネルアセンブリの実施形態は、複数のスタッド、ｖ字ブレーススタッド、トラック、及び頂部プレートを含む。
【図面の簡単な説明】
【０００５】
【図１】例示的な４重ｖ字パネルアセンブリの模式図を示す。
【図２】例示的な４重ｖ字パネルアセンブリの例示的な３次元図を示す。
【図３】２重頂部プレート接続部を拡大して眺めたときの例示的な４重ｖ字パネルアセンブリの例示的な３次元図を示す。
【図４】中心スタッド及び水平トラックの交差領域を拡大して眺めたときの例示的な４重ｖ字パネルアセンブリの例示的な３次元図を示す。
【図５】例示的な４重ｖ字パネルアセンブリへの力の伝達を示す。
【図６】例示的な４重ｖ字パネルアセンブリの別の模式図を示す。
【図７】４重ｖ字パネルアセンブリを作製する例示的な操作を示す。
【発明を実施するための形態】
【０００６】
壁パネルは、住宅及び事業用建物の建築に使用されて壁構造と屋根ふき材の支持具を提供する。既存の壁パネル形態は、現地での作業及び組み立てが必要であり、これにより、建物の建設に遅れが生じてコストが増加することがある。更に、壁パネル形態は、地震活動、風、または他の力に耐える十分な強度を提供することができない可能性がある。
【０００７】
本明細書において開示される壁パネルの実施形態は、標準化された構成部材を使用する４重ｖ字パネルアセンブリを提供する。更に、４重ｖ字パネルアセンブリを製造する方法が本明細書において説明される。４重ｖ字パネルアセンブリの様々な構成部材を標準化して、これらの構成部材を４重ｖ字パネルアセンブリに配置することにより、４重ｖ字パネルアセンブリを、冷間ロール成形機を使用して製造することができる。本明細書において開示される実施形態では、接続部の長さ、奥行き、角度などが標準化される。このような標準化により、４重ｖ字パネルアセンブリのエンジニアリング設計及び分析を繰り返す必要を少なくする。また、標準化により更に、４重ｖ字パネルアセンブリを製造するコストを低減する。本明細書において開示される４重ｖ字パネルアセンブリは、事業用建物及び住宅の壁構造と組み合わせて使用されて、強い風及び／又は地震活動に起因する横力に対する強度及び抗力を高めることができる。
【０００８】
図１は、例示的な４重ｖ字パネルアセンブリ１００の模式図を示す。４重ｖ字パネルアセンブリに使用される骨組み部材の２つの輪郭（例えば、輪郭１８０及び１８２）、スタッド（例えば、輪郭１８２）及びトラック（例えば、輪郭１８０）がある。スタッド（ｓｔｕｄ）及びトラック（ｔｒａｃｋ）は、これらの部材が共に、後方ウェブ部分１８４から略直角に延びる壁を備える後方ウェブ部分１８４を含むので、実質的に同様である。スタッド及びトラックは、スタッドが壁から直角に内側に延びるフランジを含み、トラックが、これらの内側を指向するフランジを含まないという点で異なっている。したがって、トラックは「Ｕ」字型であり、スタッドは、「Ｕ」字型の先端から内側に延びるフランジを備える「Ｕ」字型である。４重ｖ字パネルアセンブリ１００は、外部スタッド１０２及び１０４、内部スタッド１０６及び１０８、中心スタッド１１０、ｖ字ブレーススタッド１１２〜１２６、下部トラック１２８、上部トラック１３０と、水平トラック１３２及び１３４（中央トラックとも表記される）と、トラスアセンブリ１４０と、を含む。４重ｖ字パネルアセンブリ１００の様々な構成部材は、ボルトまたはスクリューのような締結具、及び溶接用スロットを使用して互いに接続される。更に、ｖ字ブレーススタッド１１２〜１２６は、上部トラック１３０、水平トラック１３２及び１３４、及び下部トラック１２８に、頂部プレート（例えば、頂部プレート１５０〜１６８）、締結具、及び溶接用スロットを使用して接続される。
【０００９】
外部スタッド１０２及び１０４、内部スタッド１０６及び１０８、及び中心スタッド１１０は、互いに略平行であり、実質的に同じ長さである。更に、外部スタッド１０２及び１０４、内部スタッド１０６及び１０８、及び中心スタッド１１０は、上部トラック１３０のスロットを貫通して延びて、トラスアセンブリ１４０の構造部材を形成する。内部スタッド１０６及び１０８、及び中心スタッド１１０は、水平トラック１３２及び１３４の貫通開口部を貫通して延びている。
【００１０】
ｖ字ブレーススタッド１１２〜１２６は、実質的に同じ長さである。ｖ字ブレーススタッド１１２〜１２６と上部トラック１３０、水平トラック１３２及び１３４、及び下部トラック１２８とがなす角度は標準化されている。例えば、ｖ字ブレーススタッド１１２と下部トラック１２８とがなす角度、ｖ字ブレーススタッド１１８と水平トラック１３２とがなす角度、及びｖ字ブレーススタッド１２２と上部トラック１３０とがなす角度は略同じとすることができる。例示的な実施形態では、外部スタッド１０２とｖ字ブレーススタッド１１２とがなす角度は３０度〜８０度である。ｖ字ブレーススタッドはそれぞれ、これらのｖ字ブレーススタッドのそれぞれの頂部プレートに、１つの締結具（例えば、ヒンジ接続部材）及び溶接用スロットを使用して接続される。１つの締結具の使用により、ｖ字ブレーススタッドを、力を受けている状態で回転させることができ、これらの力を系の構造支柱に伝達することができる。別の実施形態では、１つよりも多くの締結具を使用してｖ字ブレーススタッドを頂部プレートで固定することができる。
【００１１】
水平トラック１３２及び１３４（例えば、２つの中央トラック）は、背面同士（例えば、ウェブ同士）を合わせるように配置され、これは、２重水平筋交い（ｄｏｕｂｌｅ  ｈｏｒｉｚｏｎｔａｌ  ｂｒａｃｉｎｇ）と表記される。水平トラック１３２及び１３４、上部トラック１３０、及び下部トラック１２８は、外部スタッド１０２及び１０４、内部スタッド１０６及び１０８、並びに中心スタッド１１０に、締結具及び／又は溶接用スロットを使用して接続される。同様に、トラスアセンブリ１４０の下弦材１４４（例えば、トラック）及び上部トラック１３０は、２重水平ブレースを形成することができる。
【００１２】
４重ｖ字パネルアセンブリ１００のトラスアセンブリ１４０は、上弦材１４２、下弦材１４４、及び複数の内部ブレース１４６を含む。トラスアセンブリ１４０は、外部スタッド１０２及び１０４、内部スタッド１０６及び１０８、並びに中心スタッド１１０をトラスアセンブリ１４０の支持構造として使用する。したがって、下弦材１４４及び上部トラック１３０は貫通開口部を含み、この貫通開口部内を、内部スタッド１０６及び１０８が挿通する。実施形態では、上弦材１４２及び下弦材１４４はトラックとすることができる。複数の内部ブレース１４６は、スタッドとすることができ、これらのスタッドは、上弦材１４２及び下弦材１４４に、頂部プレート、締結具、及び溶接用スロットを使用して接続される。更に、内部スタッド１０６及び１０８は、上弦材１４２に、当接プレート（例えば、当接プレート１４８）、締結具、及び溶接用スロットを使用して接続されるようにしてもよい。
【００１３】
頂部プレートは、これらの頂部プレートのそれぞれのトラック及びスタッド（ｖ字ブレーススタッドを除く）に、各トラックまたは各スタッドにある少なくとも２つの締結具及び溶接用スロットを使用して接続される。例えば、頂部プレート１５６は、内部スタッド１０６に２つの締結具１７０及び溶接用スロット１７２で接続される。
【００１４】
スタッド及びトラックの各々は、貫通穴または貫通開口部を含むことができ、貫通穴または貫通開口部は、１つ以上の４重ｖ字パネルアセンブリ１００を含む建物の電気配線または他の構成部材に利用することができる。これらの穴は、図３に関連して以下に示される。
【００１５】
各トラック、スタッド、及び頂部プレートは、冷間圧延亜鉛メッキ鋼板のような亜鉛メッキ鋼板により、冷間ロール成形機及び冷間プレスを使用して形成されるようにしてもよい。例えば、ｖ字ブレーススタッドを製造する場合、ロール状の冷間亜鉛メッキ鋼板は、ｖ字ブレーススタッドの長さに等しい所定の長さに切断される。続いて、切断長さの冷間圧延鋼板は、ｖ字ブレーススタッドの形状に成形される。ｖ字ブレーススタッドを成形する前に、または成形した後に、貫通穴または貫通開口部、締結具のパイロット穴、及び溶接用スロットを穿孔、切断、またはエッチングして、冷間亜鉛メッキ鋼板の切断長さとすることができる。
【００１６】
幾つかの例示的な実施形態では、トラスアセンブリ１４０は、床トラス及び／又は天井トラスを取り付けるトラスハンガーを含む。例えば、トラスハンガーは、当接プレート１４８に取り付けることができる、または当接プレート１４８の一部として形成することができる。トラスハンガーは、床トラス及び／又は天井トラスとなるように構成され、床トラス及び／又は天井トラスは、ｚ方向に延び、別の４重ｖ字パネルまたは他の構造の別のトラスハンガーに取り付けられる。例えば、床トラス／天井トラスの上弦材は、トラスハンガーに当接プレート１４８の位置で取り付けることができ、床トラス／天井トラスの下弦材は、トラスハンガーに頂部プレート１７６の位置で取り付けることができる。他のトラスハンガーは、頂部プレート１７４，１７８などのような他のプレートに取り付けることができる、または他のプレートの一部として形成することができる。
【００１７】
図２は、例示的な４重ｖ字パネルアセンブリ２００の例示的な３次元図を示す。４重ｖ字パネルアセンブリ２００は、図１に関連して上に説明したように、複数のスタッド、トラック、及び頂部プレートを含む。図２から分かるように、４重ｖ字パネルアセンブリ２００は、頂部プレートを、４重ｖ字パネルアセンブリの裏側に含む。４重ｖ字パネルアセンブリ２００は、４つのｖ字パネル（例えば、「ｑｕａｄ（４重）」ｖ字パネルアセンブリ２００）を含む。例えば、４重ｖ字パネルアセンブリ２００はｖ字パネル２０２を含み、ｖ字パネル２０２は、外部スタッド２０４の一部、ｖ字ブレーススタッド２０６及び２０８（例えば、ｖ字パネル当たり２つのｖ字ブレーススタッド）、内部スタッド２１０の一部、下部トラック２１２の一部、中央トラック２１４の一部、及び内部中心スタッド２１６を含む。様々な構成部材が、頂部プレートを使用して接続される。例えば、頂部プレート２１８を使用して、ｖ字ブレーススタッド２０６及び２０８を内部スタッド２１０及び中央トラック２１４に接続する。様々な構成部材は、頂部プレートに締結具及び／又は溶接部（例えば、溶接用スロット）を使用して接続されるようにしてもよい。幾つかの例示的な実施形態では、ｖ字ブレーススタッドは頂部プレートに一体締結具（及び、場合によっては溶接部）を使用して接続されるので、ｖ字ブレーススタッドを頂部プレート及び他の構成部材に対して回動させることができる。例えば、ｖ字ブレーススタッド２０６及び２０８は、頂部プレート２１８に締結具（例えば、ナット／ボルト）を使用して接続され、これらの締結具により、ｖ字ブレーススタッド２０６及び２０８を頂部プレート２１８、中央トラック２１４、及び内部スタッド２１０に対して回動させることができる。
【００１８】
幾つかの例示的な実施形態では、２つのそれぞれのｖ字ブレーススタッドがなす角度は、互いに対して２０度〜１６０度の所定の角度とすることができる。例えば、角度２２０は、約２０度〜約１６０度とすることができる。幾つかの例示的な実施形態では、ｖ字ブレーススタッドと水平トラックがなす角度は、約１０度〜約８０度の所定の角度とすることができる。例えば、ｖ字ブレーススタッド２２４と水平トラック２２８がなす角度２２６は、約１０度〜約８０度とすることができる。
【００１９】
図３は、２重頂部プレート接続部３０６を拡大して眺めたときの（例えば、図Ａ及び図Ｂ）例示的な４重ｖ字パネルアセンブリ３００の例示的な３次元図を示す。図Ａは、矢印３０２の方向に斜めに眺めたときの２重頂部プレート接続部３０６を示す。図Ｂは、矢印３０４の方向に斜めに眺めたときの２重頂部プレート接続部３０６を示す。
【００２０】
次に、図Ａを参照すると、２重頂部プレート接続部３０６は、頂部プレート３１０及び３６０を含む。頂部プレート３１０は、ｖ字ブレーススタッド３１２に、各ｖ字ブレーススタッド３１２に対応する１個の締結具３２０を使用して接続される。頂部プレート３１０は、内部スタッド３３０及び水平トラック３３２及び３３４に、２個の締結具３２０で接続される。同様に、頂部プレート３６０は、ｖ字ブレーススタッド３１４に、各ｖ字ブレーススタッド３１２に対応する１個の締結具を使用して接続される。したがって、ｖ字ブレーススタッドは、頂部プレートに回動自在に取り付けられる。したがって、力がｖ字パネルアセンブリに加わると、ｖ字ブレーススタッド３１４は、力を受けた状態で折れ曲がって回動することができ、力をｖ字パネルアセンブリ全体に伝達することができる。幾つかの例示的な実施形態では、ｖ字ブレーススタッドは更に、頂部プレートに溶接部で溶接用スロットを使用して取り付けられる。例えば、ｖ字ブレーススタッド３１４は、頂部プレート３６０に溶接部及び溶接用スロット（溶接用スロット３２２のような）を使用して取り付けられる。他の構成部材（例えば、ｖ字パネルアセンブリ３００の様々なトラック及びスタッド）は、様々な頂部プレートに溶接部及び溶接用スロットを使用して取り付けることができる。
【００２１】
頂部プレート３６０は、内部スタッド３３０、及び水平トラック３３２及び３３４に２つの締結具で接続される。頂部プレートは、スタッド及びトラックに、２つよりも多くの締結具で取り付けられるようにしてもよいことを理解されたい。頂部プレート３４８のような４重ｖ字パネルアセンブリ３００の他の頂部プレートは、頂部プレート３１０及び３６０と同様に構成されることを理解されたい。同様に、４重ｖ字パネルアセンブリ３００の裏側の頂部プレートは、頂部プレート３１０及び３６０と同様に構成される。
【００２２】
水平トラック３３２及び３３４は、外部スタッド３３６及び３３８の両方に取り付けられる隣接部材である。更に、内部スタッド３３０は、下部トラック３４０及び上部トラック３４２の両方に取り付けられる隣接部材である。したがって、水平トラック３３２及び３３４は穿孔開口部を含み、この穿孔開口部内を内部スタッド３３０が挿通する。水平トラック３３２及び３３４は内部スタッド３３０に、締結具３２０及び溶接用スロット３２２を使用して取り付けられる。
【００２３】
この特定の実施形態では、４重ｖ字パネルアセンブリのスタッド、トラック、及び頂部プレートは、１４ゲージの亜鉛メッキ鋼ロールにより特殊なロール成形機を使用してロール成形される。このようなロール成形機は、鋼製ロールをロール成形して４重ｖ字パネルアセンブリの様々な構成部材を生成することができるように、鋼製ロールを所定の距離、及び所定の角度で切断するための命令を含むマクロファイルを受信するように構成される機械に通信可能に接続することができる。更に、このようなロール成形機はまた、締結具、溶接用スロット、及び貫通開口部のパイロット穴の配置、穿孔、エッチング、または切断に関する命令をマクロファイルから受信するように構成される。パイロット穴及び溶接用スロットにより、弦材を特殊なアセンブリ冶具に配置してブレースに接続することができる。
【００２４】
また、パイロット穴、溶接用スロット、及び貫通開口部の標準化により更に、スタッド、トラック、及び頂部プレートのコンピュータ援用ロボット溶接が可能となる。このような溶接接続により、４重ｖ字パネルアセンブリ３００の全体強度が、溶接接続がライトゲージ材よりも強度が高いので、スタッド、トラック、及び頂部プレートの間の接続点の破断を無くすことができる。更に、溶接接続は、機械締結具のように緩むことがないので、強度を４重ｖ字パネルアセンブリ３００に付加することができる。
【００２５】
次に、図Ｂを参照すると、２重頂部プレート接続部は、頂部プレート３１０及び３６０を備える状態で図示されている。図から分かるように、水平トラック３３２及び３３４は穿孔開口部３４４を含み、穿孔開口部３４４は、建物の電気配線または他の構造部材に利用することができる。水平トラック３３２及び３３４は貫通開口部を含み、貫通開口部内を内部スタッド３３０が延びている。
【００２６】
図４は、中心スタッドと水平トラックの交差領域を拡大して眺めたときの（例えば、図Ａ）例示的な４重ｖ字パネルアセンブリ４００の例示的な３次元図を示す。図Ａは、矢印４１０の方向に斜めに見たときの交差部を示す。水平トラック４０２及び４０４は、中心スタッド４０６が水平トラック４０２及び４０４を貫通することができるような貫通開口部を含む。中心スタッド４０６は、水平トラック４０２及び４０４に、パイロット穴４２０に挿入される締結具（図示せず）を使用して取り付けられる。
【００２７】
図５は、力が例示的な４重ｖ字パネルアセンブリ５００に伝達されることを示す。横力５０２が４重ｖ字パネルアセンブリ５００に作用している。横力の例として、風、地震活動などに起因する力がある。横力５０２が４重ｖ字パネルアセンブリに作用すると、４重ｖ字パネルアセンブリは右にシフトする（点線５１０及び５１４で示す）可能性があり、力が４重ｖ字パネルアセンブリ５００の様々な部材を介して伝達される可能性がある。例えば、横力５０２に起因して、ｖ字ブレーススタッド５０４は、点線５０６で示す位置まで曲がるか、または屈曲する可能性がある。同様に、ｖ字ブレーススタッド５１２は、点線５１４で示す位置まで屈曲するか、または曲がる可能性がある。点線５１０、５０６、及び５１４は、例示のためにのみ図示されており、シフト量、屈曲量、または曲がり量は、これらの点線よりも大きくなり得るか、または小さくなり得ることを理解されたい。他のｖ字ブレーススタッド５１６及び５１８は、横力５０２に起因して長さ方向に伸張する可能性がある。したがって、ｖ字ブレーススタッド５０４は、横力５０２を受ける場合に圧縮強度をもたらし、ｖ字ブレーススタッド５１６及び５１８は、横力５０２を受ける場合に引張強度をもたらす。力が頂部プレートに作用するので、頂部プレートが回転する可能性がある。例えば、横力５０２に起因して、頂部プレート５２０は、矢印５２２で示す方向に回転する可能性がある。
【００２８】
ｖ字ブレーススタッドの伸張、ｖ字ブレーススタッドの曲がり、及び頂部プレートの回転が組み合わされると、４重ｖ字パネルアセンブリ５００の強度特性を高めることができる。４重ｖ字パネルアセンブリの構造により、４重ｖ字パネルアセンブリは、非常に大きな力、及び変化する力に耐えることができる。４重ｖ字パネルアセンブリ５００は、横力が横力５０２と反対方向に作用するので、同様の強度機能をもたらすことができることに注目されたい。したがって、４重ｖ字パネルアセンブリ５００は、引張強度機能及び圧縮強度機能を複数の方向にもたらすことができる。
【００２９】
図６は、ポスト６０２及び６０４に接続される例示的な４重ｖ字パネルアセンブリ６００の模式図を示す。模式図は、様々な接続部材を示しており、これらの接続部材を使用して、４重ｖ字パネルアセンブリをポスト６０２とポスト６０４との間に接続することができる。実施形態では、１つ以上の４重ｖ字パネル６００は、ポストまたは支柱を使用して接続することができる。他の実施形態では、４重ｖ字パネル６００は、互いに直接接続されるようにしてもよい。ポスト６０２及び６０４は、建物の内部構造部材を形成する構造支柱とすることができる。構造支柱は、互いに標準化された距離に、部屋の隅、床の隅などに配置されるようにしてもよい。
【００３０】
図７は、本明細書において開示される４重ｖ字パネルアセンブリを製造する例示的な操作７００を示す。詳細には、図７は、本明細書において開示される４重ｖ字パネルアセンブリを製造する自動実施の様々な操作７００を示す。操作７０２では、マクロファイルを、４重ｖ字パネルアセンブリの構成部材を生成するために使用されるロール成形機で受信する。１つの実施形態では、このようなマクロファイルは、マクロファイルを建築図面に基づいて生成するソフトウェアアプリケーションから受信することができる。操作７０４では、鋼製ロールをロール成形機に配置する。操作７０６では、ロール成形機が、マクロファイルの命令を解釈して、４重ｖ字パネルアセンブリのスタッドをロール成形する。操作７０８では、ロール成形機が、マクロファイルの命令を解釈して、４重ｖ字パネルアセンブリのトラックをロール成形する。同様に、操作７１０では、マクロファイルの命令の通りに、４重ｖ字パネルアセンブリの頂部プレート（及び、トラスアセンブリの当接プレート）をロール成形する。操作７１２では、トラスアセンブリのブレーススタッドをロール成形する。更に、操作７１２では、パイロット穴をスタッド、トラック、頂部プレート、及び当接プレートに穿孔するのに対し、操作７１４では、溶接用スロットをマクロファイルの命令の通りに切断する。一旦、様々な部材が構成されると、操作７１６では、これらの部材を組み付けて４重ｖ字パネルアセンブリを構成する。操作７１８では、作製すべき４重ｖ字パネルアセンブリが更にあるかどうかを判断し、上記操作のうち１つ以上の操作を必要に応じて繰り返す。
【００３１】
上記仕様、例、及びデータは、本発明の例示的な実施態様の構造及び使用に関する完全な記述を提供する。本発明の多くの実施態様は、本発明の趣旨及び範囲から逸脱しない範囲で作製することができるので、本発明は、添付される以下の特許請求の範囲に属する。更に、異なる実施態様の構造的特徴は、更に別の実施態様において、記載される特許請求の範囲から逸脱しない範囲で組み合わせることができる。本発明は、好適な実施態様を参照して記載されてきたが、当業者であれば、変更を形態及び細部に、本発明の範囲から逸脱しない範囲で加えることができることを理解できるであろう。上に説明される実施形態、及び他の実施形態は、以下の特許請求の範囲に含まれる。
【図１】
2019525034.tif 000003
【図２】
2019525034.tif 000004
【図３】
2019525034.tif 000005
【図４】
2019525034.tif 000006
【図５】
2019525034.tif 000007
【図６】
2019525034.tif 000008
【図７】
2019525034.tif 000009
【国際調査報告】
2019525034.tif 000010
2019525034.tif 000011
2019525034.tif 000012